(57)【要約】【課題】光源の主走査方向における光量分布の時間的変化のばらつきによる画像データへの影響を少なくし、かつ濃度基準部材の汚れ等による補正画像データへの影響を少なくすることを目的とする。【解決手段】原稿を所定の読取位置に搬送して、原稿の画像を読み取る読取手段と、原稿を読み取る読取領域外に配置されたシェーディング補正板と、所定の読取位置上に配置されたプラテンローラとから構成され画像読取装置は、原稿の画像を読取手段で読み取る前に、所定の読取位置にあるプラテンローラを前記読取手段で読み取ることによってプラテンローラの汚れを検知し、その検知結果に応じて、光源の時間的変動を補正する複数の補正手段からひとつの補正手段を選択する。【選択図】      図１１
2004328481.tif 000002
【特許請求の範囲】
【請求項１】
原稿を読取位置に搬送する搬送手段と、前記搬送手段で搬送された原稿を読み取る読取手段と、前記読取手段で読み取った原稿の画像データを補正する複数の補正手段とを有する画像読取方法において、
原稿を前記読取手段で読み取る前に、前記読取位置にある濃度基準部材を前記読取手段で読み取ることによって前記濃度基準部材の汚れを検知する検知ステップと、
前記検知ステップの検知結果に応じて、前記複数の補正手段からひとつの補正手段を選択する選択ステップを有することを特徴とする画像読取方法。
【請求項２】
前記選択ステップは、前記検知ステップで前記濃度基準部材の汚れを検知した場合には、前記第２の補正手段を選択し、前記検知ステップで前記濃度基準部材の汚れを検知しなかった場合には、前記第１の補正手段を選択することを特徴とする請求項１記載の画像読取方法。
【請求項３】
前記複数の補正手段は、前記濃度基準部材から読み取ったデータから前記読取手段の画素ごとに補正値を求め、該補正値を基にして前記読取手段で読み取った原稿の画像データを補正する第１の補正手段と、前記濃度基準部材から読み取ったデータから平均値を求め、該平均値を基にして前記読取手段で読み取った原稿の画像データを補正する第２の補正手段からなることを特徴とする請求項２記載の画像読取方法。
【請求項４】
前記検知ステップは、前記濃度基準部材の汚れを検知する処理を所定回数実行することを特徴とする請求項２記載の画像読取方法。
【請求項５】
原稿を読取位置に搬送する搬送手段と、
前記搬送手段で搬送された原稿を読み取る読取手段と、
原稿を読み取る読取領域外に配置された第１の濃度基準部材と、
前記読取位置に配置された第２の濃度基準部材と、
前記読取手段で読み取った原稿の画像データを補正する複数の補正手段、
原稿を前記読取手段で読み取る前に、前記読取位置にある前記第２の濃度基準部材を前記読取手段で読み取ることによって前記第２の濃度基準部材の汚れを検知する検知手段と、
前記検知手段の検知結果に応じて、前記複数の補正手段からひとつの補正手段を選択する選択手段を有することを特徴とする画像読取装置。
【請求項６】
前記選択手段は、前記検知手段で前記第２の濃度基準部材の汚れを検知した場合には、前記第２の補正手段を選択し、前記検知手段で前記第２の濃度基準部材の汚れを検知しなかった場合には、前記第１の補正手段を選択することを特徴とする請求項５記載の画像読取装置。
【請求項７】
前記複数の補正手段は、前記第２の濃度基準部材から読み取ったデータから前記読取手段の画素ごとに補正値を求め、該補正値を基にして前記読取手段で読み取った原稿の画像データを補正する第１の補正手段と、前記第２の濃度基準部材から読み取ったデータから平均値を求め、該平均値を基にして前記読取手段で読み取った原稿の画像データを補正する第２の補正手段からなることを特徴とする請求項６記載の画像読取装置。
【請求項８】
前記検知手段は、前記第２の濃度基準部材の汚れを検知する処理を所定回数実行することを特徴とする請求項６記載の画像読取装置。
【請求項９】
原稿を読取位置に搬送する搬送手段と、
前記搬送手段で搬送された原稿を読み取る読取手段と、
前記読取位置に配置された濃度基準部材と、
前記読取手段で読み取った原稿の画像データを補正する複数の補正手段、
原稿を前記読取手段で読み取る前に、前記読取位置にある前記濃度基準部材を前記読取手段で読み取ることによって前記濃度基準部材の汚れを検知する検知手段と、
前記検知手段の検知結果に応じて、前記複数の補正手段からひとつの補正手段を選択する選択手段を有することを特徴とする画像読取装置。
【請求項１０】
前記選択手段は、前記検知手段で前記濃度基準部材の汚れを検知した場合には、前記第２の補正手段を選択し、前記検知手段で前記濃度基準部材の汚れを検知しなかった場合には、前記第１の補正手段を選択することを特徴とする請求項９記載の画像読取装置。
【請求項１１】
前記複数の補正手段は、前記濃度基準部材から読み取ったデータから前記読取手段の画素ごとに補正値を求め、該補正値を基にして前記読取手段で読み取った原稿の画像データを補正する第１の補正手段と、前記濃度基準部材から読み取ったデータから平均値を求め、該平均値を基にして前記読取手段で読み取った原稿の画像データを補正する第２の補正手段からなることを特徴とする請求項１０記載の画像読取装置。
【請求項１２】
前記検知手段は、前記濃度基準部材の汚れを検知する処理を所定回数実行することを特徴とする請求項１０記載の画像読取装置。
【発明の詳細な説明】
【０００１】
【発明の属する技術分野】
本発明は、複写機、スキャナ、ファクシミリ装置等における画像読取技術に関し、特に原稿の連続読取を行う際の、光源の光量、及び配光の変動によるシェーディングの補正を行う技術に関するものである。
【０００２】
【従来の技術】
自動で原稿を供給し、読み取り部を固定して原稿を動かしながら画像を読み取る方式（「流し読み方式」）が、一般的に知られている。流し読み方式について簡単に説明する。オペレータはＡＤＦに原稿を載置し読み取り開始の指令をすると、読み取り側がある位置に移動して停止し、読み取りセンサが主走査方向を一次元的に読み取り、ＡＤＦがそれと直交する副走査方向に原稿を移動させることによって原稿全体の画像を読み取る。
【０００３】
この流し読み方式は、オペレータによる原稿の載置・交換作業を省くことができるので、多くの原稿を連続して読み取るときには時間を短縮することができる。
【０００４】
しかし、連続した複数の原稿（画像）を読み取っていくと、ランプの絶対光量が時間的に変化する問題（ランプの光量が時間的に減少する問題）がある。この問題を解決するために、原稿を読み取る位置、かつ原稿の読み取り領域外の位置に濃度基準板を設け、その濃度基準板より得られた読み取りデータをもとに原稿読み取りデータを補正しているものがある（例えば、特許文献１を参照）。
【０００５】
【特許文献１】
特開２００１−０９４７３７
【０００６】
【発明が解決しようとする課題】
しかしながら、ランプの光量の時間的変化におけるその変化の割合が主走査方向の位置によって異なっている場合、つまり、ランプ点灯初期（連続原稿の読み取り開始時）からのランプの光量において主走査方向に対する光量分布が変化してしまう場合、読み取り画像の明度が変化し（多くの場合は小さくなり）、カラー画像であれば加えて彩度・色度が変わってしまう。そのため、実際の原稿と読み取った原稿との差が大きくなり、画像読み取り装置の性能が著しく損なわれることになる。
【０００７】
画像読み取り装置の性能を低下させないためには、主走査方向のランプの光量分布の時間的変化によるばらつきの影響を押さえるような補正が必要である。そこで、複数の原稿を連続して読み取る際に、原稿と原稿との間（原稿を読み取らないとき）を利用して、読み取り位置の原稿読み取り領域に配置された濃度基準部材を主走査方向領域にわたり読み取りを行い、その基準データに基づいて補正を行う方法が考えられる。しかし、この方法では、濃度基準部材に汚れ等が付着している場合には読み取った画像データに汚れの影響を強く受けることになってしまうという問題点がある。
【０００８】
本発明は、主走査方向の光量分布の時間的変化のばらつきによる画像データへの影響を少なくし、かつ濃度基準部材の汚れ等による補正画像データへの影響を少なくすることを目的とする。
【０００９】
【課題を解決するための手段】
上記問題点を解決するために、本発明は、原稿を読取位置に搬送する搬送手段と、前記搬送手段で搬送された原稿を読み取る読取手段と、前記読取手段で読み取った原稿の画像データを補正する複数の補正手段とを有する画像読取方法において、原稿を前記読取手段で読み取る前に、前記読取位置にある濃度基準部材を前記読取手段で読み取ることによって前記濃度基準部材の汚れを検知する検知ステップと、前記検知ステップの検知結果に応じて、前記複数の補正手段からひとつの補正手段を選択する選択ステップを有することを特徴とする。
【００１０】
さらに、前記選択ステップは、前記検知ステップで前記濃度基準部材の汚れを検知した場合には、前記第２の補正手段を選択し、前記検知ステップで前記濃度基準部材の汚れを検知しなかった場合には、前記第１の補正手段を選択することを特徴とする。
【００１１】
さらに、前記複数の補正手段は、前記濃度基準部材から読み取ったデータから前記読取手段の画素ごとに補正値を求め、該補正値を基にして前記読取手段で読み取った原稿の画像データを補正する第１の補正手段と、前記濃度基準部材から読み取ったデータから平均値を求め、該平均値を基にして前記読取手段で読み取った原稿の画像データを補正する第２の補正手段からなることを特徴とする。
【００１２】
さらに、前記検知ステップは、前記濃度基準部材の汚れを検知する処理を所定回数実行することを特徴とする。
【００１３】
また、本発明は、原稿を読取位置に搬送する搬送手段と、前記搬送手段で搬送された原稿を読み取る読取手段と、原稿を読み取る読取領域外に配置された第１の濃度基準部材と、前記読取位置に配置された第２の濃度基準部材と、前記読取手段で読み取った原稿の画像データを補正する複数の補正手段、原稿を前記読取手段で読み取る前に、前記読取位置にある前記第２の濃度基準部材を前記読取手段で読み取ることによって前記第２の濃度基準部材の汚れを検知する検知手段と、前記検知手段の検知結果に応じて、前記複数の補正手段からひとつの補正手段を選択する選択手段を有することを特徴とする。
【００１４】
さらに、前記選択手段は、前記検知手段で前記第２の濃度基準部材の汚れを検知した場合には、前記第２の補正手段を選択し、前記検知手段で前記第２の濃度基準部材の汚れを検知しなかった場合には、前記第１の補正手段を選択することを特徴とする。
【００１５】
さらに、前記複数の補正手段は、前記第２の濃度基準部材から読み取ったデータから前記読取手段の画素ごとに補正値を求め、該補正値を基にして前記読取手段で読み取った原稿の画像データを補正する第１の補正手段と、前記第２の濃度基準部材から読み取ったデータから平均値を求め、該平均値を基にして前記読取手段で読み取った原稿の画像データを補正する第２の補正手段からなることを特徴とする。
【００１６】
さらに、前記検知手段は、前記第２の濃度基準部材の汚れを検知する処理を所定回数実行することを特徴とする。
【００１７】
また、本発明は、原稿を読取位置に搬送する搬送手段と、前記搬送手段で搬送された原稿を読み取る読取手段と、前記読取位置に配置された濃度基準部材と、前記読取手段で読み取った原稿の画像データを補正する複数の補正手段、原稿を前記読取手段で読み取る前に、前記読取位置にある前記濃度基準部材を前記読取手段で読み取ることによって前記濃度基準部材の汚れを検知する検知手段と、前記検知手段の検知結果に応じて、前記複数の補正手段からひとつの補正手段を選択する選択手段を有することを特徴とする。
【００１８】
さらに、前記選択手段は、前記検知手段で前記濃度基準部材の汚れを検知した場合には、前記第２の補正手段を選択し、前記検知手段で前記濃度基準部材の汚れを検知しなかった場合には、前記第１の補正手段を選択することを特徴とする。
【００１９】
さらに、前記複数の補正手段は、前記濃度基準部材から読み取ったデータから前記読取手段の画素ごとに補正値を求め、該補正値を基にして前記読取手段で読み取った原稿の画像データを補正する第１の補正手段と、前記濃度基準部材から読み取ったデータから平均値を求め、該平均値を基にして前記読取手段で読み取った原稿の画像データを補正する第２の補正手段からなることを特徴とする。
【００２０】
さらに、前記検知手段は、前記濃度基準部材の汚れを検知する処理を所定回数実行することを特徴とする。
【００２１】
【発明の実施の形態】
以下に図面を参照して、本発明の実施の一形態について説明する。
【００２２】
画像読み取り装置５００の構成を図１に示す。画像読み取り装置５００は、原稿搬送部５０１と画像読み取り部５０２から構成されている。なお、画像読み取り装置５００は、プリンタ装置と接続して複写機として使用することも可能である。
【００２３】
原稿搬送部５０１は、原稿載置台５０８、白色のプラテンローラ５１１、排紙トレイ５０９、および原稿を搬送するための駆動可能な複数の搬送ローラで構成されている。原稿載置台５０８に置かれた複数の原稿５０５は、搬送ローラを駆動することによって、１枚ずつ分離・給紙され、所定の読み取り位置まで搬送される。そして、原稿は、搬送されながら原稿上の画像が所定の読み取り位置で読み取られ、排紙トレイ５０９に排紙される。
【００２４】
画像読み取り部５０２は、第１ミラーユニット５０３、第２ミラーユニット５０４、レンズ５０６、読み取り素子（以下、ＣＣＤと記述）５０７、白色のシェーディング補正板（第１の濃度基準板）５１０、ガラス台５１２，５１３で構成されている。第２ミラーユニット５０４は、原稿を照射する光源を含む構成になっている。原稿搬送部５０１において搬送された原稿は、所定速度で搬送されながら、所定の読み取り位置で原稿上の画像を読み取られる。その際、所定の読み取り位置で原稿は光源で照射される。原稿から反射された光は、第１ミラーユニット５０３、第２ミラーユニット５０４およびレンズ５０６を介してＣＣＤ５０７に導かれる。この読み取り方式を、以下では「流し読み方式」と記述する。
【００２５】
画像読取部５０２を上から見た図を図２に示す。図２に記載されている矢印方向は、原稿搬送部５０１で原稿を搬送する方向と直交する方向であり、その方向を以下では主走査方向として記述する。
【００２６】
画像処理部６００のブロック図を図３に示す。画像処理部６００は、図１に示すＣＣＤ５０７で読み取られたデータに対して、以下に示す所定の処理を行う。原稿を照明し、反射した光５２４がＣＣＤ５０７によって、光からアナログ電気信号に変換される。そして、そのアナログ電気信号を増幅器６２０で増幅し、Ａ／Ｄ変換器６２１によってアナログ電気信号をデジタル信号に変換する。変換されたデジタル信号は、シェーティング補正部６２２によってシェーディング補正される。
【００２７】
シェーディング補正は、ランプ点灯時に主走査方向の光の分布が不均一になっていることや、レンズの主走査方向に対する光量減衰率が一様ではないことなどの不均一性を補正するために行われる。図４（ａ）は、シェーディング補正板５１０がＣＣＤ５０７によって読み取られたときのデータの一例である。図４は横軸が主走査方向、縦軸がＣＣＤで読み取られた出力レベルである。図４（ｂ）のように主走査方向のばらつきを補正するために、主走査方向に対してシェーディング補正板５１０の出力を一様になるようにゲイン・オフセットを調整する。
【００２８】
シェーディング補正のための基準データの読み込みは、複数の原稿を連続して読み込む場合には最初の原稿を読み込む開始前に一度だけ実行するだけである。最初の原稿を読み取る前のシェーディング補正の基準データを用いて、後続の原稿を読み取った画像データを補正した場合、ランプの光量が時間的に変化することによって読み取った画像データを補正する際に光量変化の影響を及ぼしてしまう。ランプの光量の時間的な変化が主走査方向でことなる場合、特にカラー画像では彩度や色度が原稿と読み取った画像データとの差が大きく、読取装置としての性能が損なわれることになる。
【００２９】
このような対策としてシェーディング補正が施された画像データは、プラテンローラ５１１を読み取って得られた基準データに基づいて画像補正を第１の補正部６２５または第２の補正部６２６で行う。
【００３０】
画像補正を第１の補正部６２５による第１の補正方法で行うか第２の補正部６２６による第２の補正方法で行うかは、不図示の制御部によって選択される。制御部による選択は、第１の補正部６２５または第２の補正部６２６の前段にある汚れ検知部６２３での判定結果によって制御される。汚れ検知部６２３は、原稿を読み取る前にプラテンローラ５１１を読み取って得られたデータを基にしてプラテンローラ５１１が汚れているかどうかを検知する。
【００３１】
汚れ検知部６２３で汚れを検知しない場合は、第１の補正部６２５による第１の補正方法で、汚れ検知部６２６で汚れを検知した場合は、第２の補正部６２６による第２の補正方法で画像補正を実行する。第１の補正方法および第２の補正方法については以下に詳述する。
【００３２】
ここでは、第１の補正部６２５と第２の補正部６２６を別のブロックとして記載してあるが、補正の際に共有となる部分を共通化して構成されてもよい。まず、第１の補正方法について図４および図５を使って説明する。なお、第１の補正方法を以下、配光補正と記述する。
【００３３】
原稿載置台にセットされた複数の原稿を連続して読み取るために、ランプを点灯し続けると、ランプの絶対光量が変化する。さらに、その変化量が主走査方向の位置によって異なる場合には、シェーディング補正を施しても図４（ｃ）のように主走査方向に対して一様にならなくなる。ランプの光量がどの程度変化したのかを、プラテンローラ５１１の読み取り値から算出し、補正する必要がある。配光補正はその補正方法のひとつである。ランプの光量の変化は、以下の次式で表される。
【００３４】
【外１】
2004328481.tif 000003
Ｐ０（ｊ）は、複数原稿の読取開始時に（シェーディング補正用の基準データを読み取ったときと同時期に）プラテンローラ５１１を読み取ったデータである。それに対して、Ｐ（ｊ）は、各原稿を読み取る直前に（原稿と原稿の間などに）プラテンローラ５１１を読み取ったデータである。
【００３５】
原稿を読み取って得られたデータはシェーディング補正に加えて、さらに上式の変化を補うように補正を加える。すなわち、原稿の読み取りデータをシェーディング補正して、なおかつ、次式の補正係数を画素毎に乗ずる。
【００３６】
【外２】
2004328481.tif 000004
こうすることによって、ランプが光量変化したにもかかわらず濃度の均一性を保つことができる（図４（ｄ））。
【００３７】
以上のように、配光補正を行うには、複数原稿の読み取り開始時のプラテンローラの読み取り値、および原稿間での読み取りの時におけるプラテンローラの読み取り値を画素毎に制御部のメモリに記憶しておかなければならない。例えば、６００ｄｐｉの解像度で、最も大きな読み取り原稿サイズがＡ３であった場合、主走査方向の画素数は
【外３】
2004328481.tif 000005
となる。制御部は、読み取り前・読み取り途中の値を記憶しておかないために、少なくとも１４０００画素の情報を記憶しておかなければならなく、メモリ量を非常に多く要するという問題がある。
【００３８】
そこで、主走査方向におけるプラテンローラ全体のデータを記憶しておくのではなく、主走査方向をいくつかの領域に分けて、その領域内の補正係数は直線的に変化すると仮定して、記憶する情報の量を低減する方法を採用してもよい。
【００３９】
図５（ａ）（ｂ）（ｃ）は、横軸が主走査方向、縦軸がプラテンローラ読み取りの変化を表している。図５（ａ）は、主走査方向におけるＣＣＤの全ての画素に対するプラテンローラ読み取りの変化を表している。これに対して図５（ｂ）は、主走査方向を１２の領域に分割して、その領域の境界にプラテンローラ読み取りの変化値を置き、その間を直線的に近似することによって、メモリに記憶するデータ量を低減している。
【００４０】
この補正方法を採用したとして、複数原稿の読取開始時（シェーディング補正用の基準データを読み取ったときと同時期）のプラテンローラの読み取り値が図６の読み取り領域Ａのところでプラテンローラの汚れを読み取ってしまい、主走査方向のほかの箇所の読み取り値よりも小さかったとする。原稿と原稿の間で読み取ったプラテンローラの読み取り値は全体的な読み取りのレベルは下がるけれども主走査方向に対して一様になっているとするとしても、その際には、Ｐ（ｊ）がＰ０（ｊ）になるように補正されるので、図６（ａ）の読み取り領域Ａでは主走査方向の他の箇所よりも補正量が少なくなり、主走査方向のＡ付近において画像が暗くなってしまう（図６（ｂ））。逆にプラテンローラの読み取り値が他よりも大きな場合には（図７（ａ））、主走査方向のＡ付近において画像が明るくなってしまう（図７（ｂ））。
【００４１】
このようにして、複数原稿の読取開始時（シェーディング補正用の基準データを読み取ったときと同時期）にプラテンローラの汚れを読み取ってしまうと、基準がずれてしまうために、補正を施す画像データ全てに対して影響を及ぼすことになる。
【００４２】
複数原稿の読取開始時にプラテンローラを読み取ったときには汚れを読み取らず、原稿と原稿の間でプラテンローラの汚れを読み取ってしまうときも同様である。原稿間でプラテンローラの汚れを読み取る際に、主走査方向の他の箇所の読み取り値よりも小さかったとする（図８）。このとき、Ｐ（ｊ）がＰ０（ｊ）になるように補正される。したがって、図８（ａ）の読み取り領域Ｂでは、主走査方向の他の箇所よりも過剰に補正され、主走査方向のＢ付近において画像が明るくなってしまう（図８（ｂ））。逆に、プラテンローラの読み取り値が他よりも大きな場合には（図９（ａ））、主走査方向のＢ付近において画像が暗くなってしまう（図９（ｂ））。
【００４３】
原稿と原稿の合間にプラテンローラの汚れを読み取ってしまった場合には、そのデータを使って補正を施す画像のみが影響を受けることになる。
【００４４】
以上をまとめると、配光補正を適用したときに、原稿読み取り前にプラテンローラの汚れを読み取ってしまった場合には、それ以降補整する画像全ての画像が部分的に明るくなったり暗くなったり、影響を受けてしまう。原稿と原稿の合間にプラテンローラの汚れを読み取ってしまった場合には、そのデータを使って補正を施す画像のみが、部分的に明るくなったり暗くなったり影響を受けてしまう。
【００４５】
次に、光量変動補正の補正方法について、図４および図５を用いて説明する。ランプの連続点灯による光量劣化を補正することについては、前述した配光補正と同じであるが、その補正する手法が異なる。
【００４６】
光量変動補正方法の詳細は、図５（ｃ）を用いて説明する。図５（ｃ）の点線（曲線）はプラテンローラの読み取りデータを示し、直線は主走査方向の読み取り領域データにおける平均化したデータを示している。ランプの光量劣化による主走査方向に対する変化プラテンローラ読み取りの変化が主走査方向に対して変化が少なかった場合には、主走査方向に対する変化は一様であるとして、補正を実行する。例えば、プラテンローラを読み取ったデータとして、図５（ｂ）におけるプラテンローラ読み取りのデータを用いて説明する。
【００４７】
光量変動補正を実行する場合、光量変動補正の補正係数が次式で表される。
【００４８】
【外４】
2004328481.tif 000006
【００４９】
この補正係数によって、原稿を読み取って画像データ補正する際に、例えばプラテンローラの読み取りのうちの１カ所で汚れを読み取ってしまったとしも、補正後の画像データへ与える影響は平均を取ることによって低減される。上記補正係数の例では、汚れの影響は１／１２までに低減されることになる。光量変動補正は、配光補正と同様に汚れの影響を受けることに変わりないが、その影響はプラテンローラの読み取り値の平均を取ることによって低減され、すなわち、汚れには比較的強い補正方法と言うことができる。ここでは、主走査方向の領域を１２に分割したが、これに限定されるものではない。
【００５０】
以上を踏まえると、配光補正と光量変動補正の関係は、画質は配光補正のほうが良く、プラテンローラの汚れによる影響は光量変動補正の方が優れており、相補う関係にある（図１０参照）。
【００５１】
本発明の特徴を示す読み取り処理について図１１を用いて説明する。この読み取り処理は、不図示の制御部が所定のプログラムを動作させることによって実行される。オペレータなどによる操作部のスタートキーの押下によって、原稿の読み取り処理が開始される。まず、第１ミラーユニット５０４をシェーディング補正板が読み取れる位置（シェーディング補正板の下）に移動し、シェーディング補正板の読み取りを実行する（Ｓ１０１）。そして、読み取られた画像データに対して、シェーディング補正を行えるように基準データを作成する。それに続いて、第１ミラーユニット５０４を移動させ、プラテンローラ５１１の読み取りを実行する（Ｓ１０２）。
【００５２】
次に、原稿読み取り前に、プラテンローラを読み取って、得られた読み取りデータをもとにして汚れ検知処理を実行し、プラテンローラに汚れ等があるかどうかを判定する（Ｓ１０３、Ｓ１０４）。読み取った画像データの画質を向上させたいために、出来る限り補正方法は前述した配光補正を利用したい。しかし、配光補正は光量変動補正に比べて、プラテンローラの汚れの影響を受けやすい。その点を考慮して、プラテンローラに汚れがあるかどうかを調べるために汚れ検知処理を実行する。
【００５３】
Ｓ１０４で、プラテンローラの汚れを検知しない場合には、配光補正（第１の補正方法）を選択する。一方、プラテンローラの汚れを検知する場合には、読み取られるすべての原稿の画像にその影響が及んでしまうために、画質を犠牲にしても汚れに強い補正方法である光量変動補正（第２の補正方法）を選択する。なお、補正方法はできるだけ配光補正を選択したいので、プラテンローラで汚れを検知したら、汚れ検知処理を所定回数実行して汚れを回避できる可能性を探っても良い。その際、汚れ検知処理のためにプラテンローラを読み取る際には、プラテンローラを回転させるようにした方がよい。
【００５４】
ここで、汚れ検知方法処理の一例を紹介する。汚れのないプラテンローラは濃度が一様であるため、プラテンローラの読み取り値は主走査方向に対して一様になる。あらかじめローラの読み取りレベルの値、そのばらつき状態がわかっている場合には、読み取りレベルがある領域（図１２の２εの領域）に入っていれば汚れがないと判断し、入っていない箇所があれば（図１２の読み取り領域Ｃ）汚れがあると判断する。
【００５５】
詳細には、プラテンローラの読み取り値が主走査方向に対して一様にならないような場合には、隣接する読み取りデータの変化がある一定値を超えるようであれば、汚れがあると判断する。さらに、図１３を例に説明すると、ｉとｉ＋１（ｉ＝１・・・１１）を比較し、その差が所定値以上になる箇所に基づいて、汚れのある箇所を特定する。この例では、６と７、７と８の差が所定値以上になるので、７の箇所を汚れと判断する。なお、ここで紹介した汚れの検知方法は一例であり、これに限定するものではない。
【００５６】
Ｓ１０６で光量変動補正が選択された場合、プラテンローラを読み取って得られた基準データに汚れが含まれているために、それ以降の連続した原稿を読み取る際には、配光補正をすることはなく、原稿束の読み取りが終了するまで光量変動補正を行うことになる。
【００５７】
Ｓ１０６で光量変動補正（第２の補正方法）が選択された場合、原稿を読み取って得られたデータを光量変動補正する（Ｓ１２１）。次に、読み取っていない原稿があるかどうかを判定する（Ｓ１２２）。読み取っていない原稿がある場合は、プラテンローラを読み取って光量変動補正の準備をする（Ｓ１２３）。実際には光量変動補正係数を求める。Ｓ１２２で読み取っていない原稿がなくなったら、読み取りが終了する（Ｓ１３１）。
【００５８】
原稿読み取り前にプラテンローラを読み取って汚れ検知処理を実行し、汚れがないと判定された場合には、補正方法として配光補正（第１の補正方法）を選択する（Ｓ１０５）。そして、原稿の読み取りを行い、読み取ったデータに対して配光補正を行う（Ｓ１１１）。次に、読み取っていない原稿があるかどうかを判定する（Ｓ１１２）。読み取っていない原稿がある場合は、プラテンローラを読み取って光量変動補正の準備をする（Ｓ１１３）。
【００５９】
原稿と原稿の合間で読み取ったプラテンローラに汚れがあっても、原稿読み取り前にプラテンローラに汚れがあったときと画像に現れる現象は異なるが、画像に影響を及ぼしてしまうためにプラテンローラの汚れがあるかどうか調べる必要がある。プラテンローラで読み取られたデータをもとにして、汚れがあるかどうかを判定する（Ｓ１１４）。その結果、Ｓ１０４と同様にして、汚れがなければ汚れによる影響はないので補正方法は配光補正を選択し、汚れがあれば汚れの影響を回避するために光量変動補正を選択するように切り替える。なお、原稿読み取り前のプラテンローラに汚れを検知した時と同様にして、汚れを検知したら再度プラテンローラを読み取るリトライ行為を行って汚れを回避できる可能性を探っても良い。このように補正の方法を決定し、原稿を読み取り（Ｓ１１１）、さらに原稿があるならプラテンローラを読み取って、汚れ検知を行い、その結果に従って補正方法を決めることを読み取る原稿がなくなるまで繰り返し、原稿の読み取りを終了する（Ｓ１３１）。
【００６０】
上述の実施例では、原稿を読み取るたびプラテンローラを読み取って補正の方法を決めているが、所定枚数毎にプラテンローラを読み取って補正の方法を変更しても良く、そのタイミングを限定するものではない。
【００６１】
実際のプラテンローラの汚れは非常に少なく、プラテンローラを読み取ったときに、汚れはあったとしても１カ所で、リトライ行為によってほとんど回避することができるので、プラテンローラの汚れを検知することによって汚れの影響を受けず、従来よりも画質を向上させることが可能になる。
【００６２】
【発明の効果】
以上説明したように、本発明によれば、プラテンローラの汚れを検出し、適切に画像補正方法を切り替えることにより、画質を向上させつつ、画像補正による汚れの影響を抑えることが可能になる。
【図面の簡単な説明】
【図１】画像読み取り装置の構成を示す図
【図２】画像読み取り部を上から見た図
【図３】画像処理部のブロック図
【図４】ＣＣＤで読み取られたデータの一例を示す図
【図５】プラテンローラを読み取ったデータの一例を示す図
【図６】複数の原稿読み取り前にプラテンローラの汚れを読み取って得られたデータとそのデータを基準にして原稿画像データを補正した場合における補正後のデータの一例を示す図
【図７】複数の原稿読み取り前にプラテンローラの汚れを読み取って得られたデータとそのデータを基準にして原稿画像データを補正した場合における補正後のデータの一例を示す図
【図８】原稿と原稿の間でプラテンローラの汚れを読み取って得られたデータとそのデータを基準にして原稿画像データを補正した場合における補正後のデータの一例を示す図
【図９】原稿と原稿の間でプラテンローラの汚れを読み取って得られたデータとそのデータを基準にして原稿画像データを補正した場合における補正後のデータの一例を示す図
【図１０】配光補正と光量変動補正を比較したテーブル
【図１１】本発明の実施の形態に係る読み取り処理を示すフローチャート
【図１２】プラテンローラの汚れ検知処理を示す図
【図１３】プラテンローラの汚れ検知処理を示す図
【符号の説明】
５００  画像読み取り装置
５０１  原稿搬送部
５０２  画像読み取り部
５０３  第１ミラーユニット
５０４  第２ミラーユニット
５０５  原稿
５０６  レンズ
５０７  ＣＣＤ
５０８  原稿載置台
５０９  排紙トレイ
５１０  シェーディング補正板
５１１  プラテンローラ
５１２  ガラス台
５１３  ガラス台
５２４  光
６００  画像処理部
６２０  増幅器
６２１  Ａ／Ｄ変換器
６２２  シェーディング補正部
６２３  汚れ検知部
６２５  第１の補正部（配光補正部）
６２６  第２の補正部（光量変動補正部）
【図１】
2004328481.tif 000007
【図２】
2004328481.tif 000008
【図３】
2004328481.tif 000009
【図４】
2004328481.tif 000010
【図５】
2004328481.tif 000011
【図６】
2004328481.tif 000012
【図７】
2004328481.tif 000013
【図８】
2004328481.tif 000014
【図９】
2004328481.tif 000015
【図１０】
2004328481.tif 000016
【図１１】
2004328481.tif 000017
【図１２】
2004328481.tif 000018
【図１３】
2004328481.tif 000019